(57)【要約】【課題】情報処理装置を使用して情報記憶装置にアクセスする際のユーザの操作負担が軽減される情報処理システム及び情報処理装置を提供する。【解決手段】携帯端末２は、所定のサーバ接続アプリケーションを実行した場合、複合機１との無線通信を開始する。その際、携帯端末２は、ユーザが入力した接続用パスワードを複合機１へ送信し、複合機１において認証された場合、複合機１との無線通信が許可される。携帯端末２は、サーバ装置３へのアクセスに必要な認証情報を無線通信にて複合機１へ送信し、複合機１に対してサーバ装置３へのアクセスを要求する。サーバ装置３へのアクセスを要求された複合機１は、携帯端末２から受信した認証情報を第１ネットワークＮ１を介してサーバ装置３へ送信し、サーバ装置３に対してアクセスを要求する。サーバ装置３は、複合機１から受信した認証情報を認証し、認証できた場合、複合機１によるアクセスを許可する。【選択図】図１
2013190864.tif 000002
【特許請求の範囲】
【請求項１】
情報記憶装置と、該情報記憶装置と通信網を介して接続可能な情報処理装置と、該情報処理装置と無線通信可能な通信装置とを備える情報処理システムにおいて、
前記通信装置は、
前記情報記憶装置にアクセスするための認証情報を記憶する記憶部と、
前記情報記憶装置へのアクセス要求を受け付ける受付部と、
該受付部がアクセス要求を受け付けた場合、前記情報処理装置に応じた情報を無線通信にて前記情報処理装置へ送信する送信部とを有し、
前記情報処理装置は、
前記通信装置から所定の情報を取得した場合、前記通信装置との無線通信を許可する許可部を有し、
前記通信装置の送信部は、前記情報処理装置に無線通信を許可された場合、前記記憶部に記憶してある認証情報、及び前記情報記憶装置へのアクセス要求を無線通信にて前記情報処理装置へ送信するようにしてあり、
前記情報処理装置は、
前記情報記憶装置へのアクセス要求を取得した場合、前記通信装置から取得した認証情報及びアクセス要求を前記通信網を介して前記情報記憶装置へ送信する送信部を更に有する
ことを特徴とする情報処理システム。
【請求項２】
前記情報記憶装置は、
前記通信網を介して前記情報処理装置からアクセス要求を取得した場合、アクセス要求と共に取得した認証情報を認証する認証部と、
該認証部が前記認証情報を認証した場合、前記情報処理装置によるアクセスを許可する許可部と
を有することを特徴とする請求項１に記載の情報処理システム。
【請求項３】
前記情報処理装置は、前記情報記憶装置へのアクセスが許可された場合、前記通信網を介した前記情報記憶装置との通信と、前記通信装置との無線通信とを仲介する仲介部を有することを特徴とする請求項２に記載の情報処理システム。
【請求項４】
前記情報処理装置は、前記通信網を介して前記情報記憶装置から取得した情報に複製防止用画像を付加して画像形成を行なう画像形成部を有することを特徴とする請求項２又は３に記載の情報処理システム。
【請求項５】
通信網を介した第１外部装置との通信及び無線通信が可能な情報処理装置において、
前記無線通信にて第２外部装置から所定の情報を取得した場合、前記第２外部装置との無線通信を許可する許可部と、
前記第１外部装置にアクセスするための認証情報、及び前記第１外部装置へのアクセス要求を無線通信にて前記第２外部装置から取得する取得部と、
前記第１外部装置へのアクセス要求を取得した場合、前記第２外部装置から取得した認証情報及びアクセス要求を前記通信網を介して前記第１外部装置へ送信する送信部と
を備えることを特徴とする情報処理装置。
【発明の詳細な説明】
【技術分野】
【０００１】
本発明は、情報記憶装置と、情報記憶装置と通信網を介して接続可能な情報処理装置と、情報処理装置と無線通信可能な通信装置とを備える情報処理システム及び情報処理装置に関する。
【背景技術】
【０００２】
近年、スマートフォンやタブレット端末等の携帯端末装置が急速に普及しており、携帯端末装置内に保存されている写真又は文書等のデータの印刷処理の需要も急増している。携帯端末装置はネットワークに接続するための通信機能を備えており、コンビニエンスストア等に設置された複合機にネットワーク経由でデータを送信することにより、容易にデータ印刷を行なうことが可能である。
【０００３】
また、特許文献１には、ネットワークに接続されたデバイスを複数のユーザが共用する場合に、デバイスを制御するサーバが、ユーザ認証、各ユーザによるデバイスの排他実行権限の設定及び解除等を行なうシステムが開示されている。具体的には、特許文献１には、携帯端末がかざされたときに、サーバが携帯端末から携帯ＩＤ情報（ユーザ認証用の情報）を取得し（読み出し）、携帯ＩＤ情報に基づいてユーザ認証を行なって画像処理サービスについて利用権限情報の有無を判別することが記載されている。また、特許文献１には、携帯端末の使用者を確認するため、携帯端末をサーバにかざしたときにパスワードによる確認処理を行なっても良いこと、またこの場合に、携帯端末にパスワードの入力を促す画面を表示させ、ユーザは携帯端末からパスワードを入力することが記載されている。これにより、特許文献１に開示されたシステムでは、携帯端末を用いて容易に印刷出力できる。
【先行技術文献】
【特許文献】
【０００４】
【特許文献１】特開２００９−８６９７６号公報
【発明の概要】
【発明が解決しようとする課題】
【０００５】
携帯端末装置内に保存されているデータをネットワーク経由で複合機に送信する構成では、印刷すべきデータを携帯端末装置内に予め保存しておく必要があり、携帯端末装置は十分な記憶領域を備えておく必要がある。
そこで、印刷すべきデータを予め所定のサーバ（クラウドサーバ）に登録しておき、コンビニエンスストア等に設置された複合機を用いてサーバからデータを取得し、データ印刷を行なうプリントサービス（クラウド印刷サービス）が提供されている。
【０００６】
このようなサービスを利用する場合、ユーザは、例えば自宅のパーソナルコンピュータを用いて印刷用データを作成して所定のサーバに登録しておき、コンビニエンスストア等の複合機を操作してサーバからデータを取得して印刷を行なうことが多い。また、サーバは、アクセスするためにユーザ認証を必要としている場合があり、このようなサーバからデータを取得する場合、ユーザは、ユーザＩＤやパスワード等の認証情報を複合機に入力する必要がある。
しかしながら、複合機に設けられた操作部は、パーソナルコンピュータの操作部とは異なるので、複合機を使い慣れていないユーザにとって、複合機の操作部を介して認証情報を入力することは困難であり、煩雑なキー操作をユーザに強いるという問題がある。
【０００７】
また、特許文献１に開示されたシステムのような操作性を得るためには、システムが携帯端末と利用対象の装置（複合機）との間で通信経路を確立するよう正しく事前設定されていることが前提である。
しかしながら、ユーザにとって出先に設置された複合機やコンビニエンスストアに設置された公共用の複合機を利用するようなテンポラリな利用の場合、必ずしも携帯端末と利用対象の装置との間で事前設定がなされているとは限らない。従って、事前設定されていない場合、事前設定から行なう必要があり、利用者が十分満足する操作性を実現することはできない。
【０００８】
本発明は、斯かる事情に鑑みてなされたものであって、その目的とするところは、使い慣れていない複合機（情報処理装置）から所定のサーバ（情報記憶装置）にアクセスする際のユーザの操作負担を軽減することが可能な情報処理システム及び情報処理装置を提供することにある。
【課題を解決するための手段】
【０００９】
本発明に係る情報処理システムは、情報記憶装置と、該情報記憶装置と通信網を介して接続可能な情報処理装置と、該情報処理装置と無線通信可能な通信装置とを備える情報処理システムにおいて、前記通信装置は、前記情報記憶装置にアクセスするための認証情報を記憶する記憶部と、前記情報記憶装置へのアクセス要求を受け付ける受付部と、該受付部がアクセス要求を受け付けた場合、前記情報処理装置に応じた情報を無線通信にて前記情報処理装置へ送信する送信部とを有し、前記情報処理装置は、前記通信装置から所定の情報を取得した場合、前記通信装置との無線通信を許可する許可部を有し、前記通信装置の送信部は、前記情報処理装置に無線通信を許可された場合、前記記憶部に記憶してある認証情報、及び前記情報記憶装置へのアクセス要求を無線通信にて前記情報処理装置へ送信するようにしてあり、前記情報処理装置は、前記情報記憶装置へのアクセス要求を取得した場合、前記通信装置から取得した認証情報及びアクセス要求を前記通信網を介して前記情報記憶装置へ送信する送信部を更に有することを特徴とする。
【００１０】
本発明に係る情報処理システムは、前記情報記憶装置は、前記通信網を介して前記情報処理装置からアクセス要求を取得した場合、アクセス要求と共に取得した認証情報を認証する認証部と、該認証部が前記認証情報を認証した場合、前記情報処理装置によるアクセスを許可する許可部とを有することを特徴とする。
【００１１】
本発明に係る情報処理システムは、前記情報処理装置は、前記情報記憶装置へのアクセスが許可された場合、前記通信網を介した前記情報記憶装置との通信と、前記通信装置との無線通信とを仲介する仲介部を有することを特徴とする。
【００１２】
本発明に係る情報処理システムは、前記情報処理装置は、前記通信網を介して前記情報記憶装置から取得した情報に複製防止用画像を付加して画像形成を行なう画像形成部を有することを特徴とする。
【００１３】
本発明に係る情報処理装置は、通信網を介した第１外部装置との通信及び無線通信が可能な情報処理装置において、前記無線通信にて第２外部装置から所定の情報を取得した場合、前記第２外部装置との無線通信を許可する許可部と、前記第１外部装置にアクセスするための認証情報、及び前記第１外部装置へのアクセス要求を無線通信にて前記第２外部装置から取得する取得部と、前記第１外部装置へのアクセス要求を取得した場合、前記第２外部装置から取得した認証情報及びアクセス要求を前記通信網を介して前記第１外部装置へ送信する送信部とを備えることを特徴とする。
【００１４】
本発明によれば、情報記憶装置と通信網を介して接続可能な情報処理装置が、無線通信も可能に構成されている。無線通信可能な通信装置が、情報記憶装置にアクセスするための認証情報を予め記憶しており、情報記憶装置へのアクセス要求を受け付けた場合、記憶してある認証情報を無線通信にて情報処理装置へ送信し、情報記憶装置へのアクセスを情報処理装置に対して要求する。情報記憶装置へのアクセスを要求された情報処理装置は、通信装置から取得した認証情報を通信網を介して情報記憶装置へ送信し、情報記憶装置に対してアクセスを要求する。即ち、情報処理装置は情報記憶装置にアクセスする際に、通信装置から送信されてきた認証情報を用いる。情報処理装置を利用して情報記憶装置にアクセスしたいユーザは、情報処理装置を操作することなく、通信装置を操作し、通信装置から情報処理装置に、情報記憶装置へのアクセスを要求すればよい。また、通信装置は、予め記憶してある認証情報を情報処理装置へ送信して、情報記憶装置へのアクセスを要求するので、情報記憶装置にアクセスしたいユーザは、認証情報を入力する必要がない。更に、通信装置は、情報処理装置と無線通信を開始する際に、情報処理装置に応じた情報を情報処理装置へ送信し、情報処理装置は、所定の情報を取得した場合にのみ、通信装置との無線通信を許可する。よって、情報処理装置と通信できる通信装置が制限されるので、情報処理装置と通信装置との間でセキュアな無線通信が可能となる。
【００１５】
本発明によれば、情報記憶装置は、通信網を介してアクセス要求された場合、通信網を介して取得した認証情報を認証し、認証できた場合、アクセス要求してきた情報処理装置によるアクセスを許可する。よって、通信装置が情報処理装置へ送信した認証情報を用いて認証処理が行なわれるので、ユーザは、情報処理装置を用いて情報記憶装置にアクセスする際に情報処理装置を操作する必要がない。
【００１６】
本発明によれば、情報処理装置は、情報記憶装置へのアクセスが許可された場合、通信網を介した情報記憶装置との通信と、通信装置との無線通信とを仲介する。即ち、情報処理装置は、２つの通信を相互に接続するブリッジ機能を有する。よって、通信装置が通信網に接続できない場合や、無線通信のアクセスポイントが通信装置の近くにない場合であっても、通信装置は、情報処理装置経由で情報記憶装置にアクセスできる。
【００１７】
本発明によれば、情報処理装置は、情報記憶装置から取得した情報を印刷する際に複製防止用画像を付加する。例えば、劇場等のチケットやクーポン等の有価証券を情報記憶装置から取得して情報処理装置で印刷する際に、複製防止用画像を付加して印刷することにより、偽造防止処理が施された印刷物を生成できる。
【発明の効果】
【００１８】
本発明では、情報処理装置を用いて情報記憶装置にアクセスする際に、ユーザは、情報処理装置を操作することなく、通信装置を操作すればよい。例えば、コンビニエンスストア等に設置された複合機（情報処理装置）から所定のサーバ（情報記憶装置）にアクセスする際に、ユーザは、使い慣れていない複合機を操作する必要がなく、使い慣れた携帯端末（通信装置）を操作すればよいので、ユーザの操作負担が軽減される。また、通信装置は、情報処理装置に対して、情報記憶装置へのアクセスを要求する際に、予め記憶してある認証情報を用いるので、ユーザは認証情報を入力する必要がなく、更に操作性が向上する。更に、通信装置と情報処理装置との無線通信が開始される際に、所定の情報を用いた認証処理が行われるのでセキュアな無線通信が可能となる。
【図面の簡単な説明】
【００１９】
【図１】本発明に係る情報処理システムの構成を示す模式図である。
【図２】複合機、携帯端末及びサーバ装置の内部構成を示すブロック図である。
【図３】ユーザ情報ＤＢの構成を示す模式図である。
【図４】情報処理システムによる印刷処理の手順を示すフローチャートである。
【図５】情報処理システムによる印刷処理の手順を示すフローチャートである。
【図６】情報処理システムによる印刷処理の手順を示すフローチャートである。
【図７】携帯端末の表示画面の例を示す模式図である。
【図８】複合機の表示画面の例を示す模式図である。
【発明を実施するための形態】
【００２０】
以下に、本発明に係る情報処理システム及び情報処理装置について、その実施形態を示す図面に基づいて詳述する。
【００２１】
図１は本発明に係る情報処理システムの構成を示す模式図である。本発明に係る情報処理システムは、複合機（情報処理装置）１、携帯端末（通信装置）２、サーバ装置（情報記憶装置）３等を備える。以下では、複合機１、携帯端末２及びサーバ装置３をそれぞれ１つ備えたシステムを例に説明するが、複合機１、携帯端末２及びサーバ装置３のいずれか又は全てをそれぞれ複数台備えてもよい。
複合機１及びサーバ装置３はインターネット等の第１ネットワーク（通信網）Ｎ１に接続可能であり、携帯端末２は携帯電話回線網等の第２ネットワークＮ２に接続可能であり、第１ネットワークＮ１と第２ネットワークＮ２とは相互に接続されている。また、複合機１及び携帯端末２は、無線ＬＡＮ等の近距離無線通信が可能である。
【００２２】
図２は複合機１、携帯端末２及びサーバ装置３の内部構成を示すブロック図である。
複合機１は、デジタル複合機又はアナログ複合機であり、例えばコンビニエンスストアに設置されている。複合機１は、制御部１０、記憶部１１、操作パネル１２、ネットワークＩ／Ｆ１３、無線通信Ｉ／Ｆ１４、画像読取部１５及び画像形成部１６等を備える。
【００２３】
制御部１０は、ＣＰＵ（Central Processing Unit ）又はＭＰＵ（Micro Processor Unit）等を含み、複合機１が備える各部の動作を制御する。具体的には、制御部１０のＣＰＵ又はＭＰＵが、ＲＯＭ（図示せず）に予め格納されている制御プログラムをＲＡＭ（図示せず）にロードして実行することにより、複合機１を、本発明に係る情報処理装置として動作させる。
記憶部１１は、ＨＤＤ（Hard Disk Drive ）等の記憶装置であり、制御部１０が実行する制御プログラム、第１ネットワークＮ１を介して受信したデータ、画像読取部１５が原稿を読み取って取得した画像データ等を記憶する。
【００２４】
操作パネル１２は、操作部１２ａ及び表示部１２ｂが一体として構成されたタッチパネルである。操作部１２ａは、ユーザが複合機１を操作するために必要な各種の操作キーを備え、ユーザが操作した操作キーに基づく情報を受け付け、受け付けた情報を制御部１０へ送出する。表示部１２ｂは、例えば液晶ディスプレイ、プラズマディスプレイ又は有機ＥＬパネル等であり、制御部１０からの指示に従って、ユーザに対して通知すべき情報、操作に必要な情報等を表示する。なお、タッチパネルを用いず、操作部１２ａと表示部１２ｂとを各別に設けてもよい。
【００２５】
ネットワークＩ／Ｆ１３は、ネットワークカード又はモデム等を備えており、公衆回線網、ＬＡＮ（Local Area Network）又はインターネット等の第１ネットワークＮ１に接続するためのインタフェースである。ネットワークＩ／Ｆ１３は、第１ネットワークＮ１を介してサーバ装置３等の外部装置と通信を行なう。ネットワークＩ／Ｆ１３は、有線通信を行なうためのインタフェースであってもよく、無線通信を行なうためのインタフェースであってもよい。
無線通信Ｉ／Ｆ１４は、無線ＬＡＮ等の近距離無線通信を行なうためのインタフェースであり、近距離無線通信が可能に構成された外部装置との間で無線通信を行なう。
【００２６】
画像読取部１５は、例えば、ＣＣＤ（Charged Coupled Device）を備えたスキャナであり、原稿に印刷された文字や画像等を画像データとして読み取る。また、画像読取部１５は、所定の原稿載置台に載置された複数枚の原稿を順次スキャナによる読取位置まで搬送する原稿搬送機能を備えていてもよい。
【００２７】
画像形成部１６は、電子写真方式、インクジェット方式又は熱転写方式等の画像形成手段であり、画像読取部１５が原稿から読み取った画像データ、又はネットワークＩ／Ｆ１３が第１ネットワークＮ１を介して外部装置から受信した電子データに基づいて印刷処理を行なう。画像形成部１６は、画像データ又は電子データに基づいて、記録紙等の記録シート上に画像（文字／写真／グラフィック）を形成する。
【００２８】
携帯端末２は、例えば携帯型のコンピュータ、携帯型のゲーム機、携帯電話又はＰＤＡ等の携帯情報端末である。携帯端末２は、制御部２０、記憶部２１、操作パネル２２、携帯電話網Ｉ／Ｆ２３及び無線通信Ｉ／Ｆ２４等を備える。
制御部２０は、ＣＰＵ又はＭＰＵ等を含み、携帯端末２が備える各部の動作を制御する。具体的には、制御部２０のＣＰＵ又はＭＰＵが、ＲＯＭ（図示せず）に予め格納されている制御プログラムをＲＡＭ（図示せず）にロードして実行することにより、携帯端末２としての動作を行なう。
【００２９】
記憶部２１は、ＨＤＤ又はフラッシュメモリ等の記憶装置であり、携帯端末２が実行する処理に必要な種々の制御プログラム及び各種データ等を記憶する。
操作パネル２２は、複合機１の操作パネル１２と同様の構成であり、操作部２２ａ及び表示部２２ｂを備える。操作部２２ａは、ユーザが操作した操作キーに基づく情報を受け付け、受け付けた情報を制御部２０へ送出する。表示部２２ｂは、制御部２０からの指示に従って、ユーザに対して通知すべき情報、操作に必要な情報等を表示する。
【００３０】
携帯電話網Ｉ／Ｆ２３は、携帯電話キャリアが管理する携帯電話回線網等の第２ネットワークＮ２に接続するためのインタフェースであり、第２ネットワークＮ２を介して他の携帯端末と通信を行なう。第１ネットワークＮ１及び第２ネットワークＮ２は接続されているので、携帯電話網Ｉ／Ｆ２３は、第２ネットワークＮ２を介して第１ネットワークＮ１へも接続可能であり、ネットワークＮ１，Ｎ２を介した外部装置との通信も可能である。
無線通信Ｉ／Ｆ２４は、複合機１の無線通信Ｉ／Ｆ１４と同様の構成であり、近距離無線通信が可能に構成された外部装置との間で無線通信を行なう。
【００３１】
サーバ装置３は、クラウドサービスを提供するサーバコンピュータであり、第１ネットワークＮ１を介して、メモリ領域の使用、ＯＳ（Operating System）の実行等の各種サービスを提供する。サーバ装置３は、制御部３０、記憶部３１及びネットワークＩ／Ｆ３２等を備える。
制御部３０は、ＣＰＵ又はＭＰＵ等を含み、サーバ装置３が備える各部の動作を制御する。具体的には、制御部３０のＣＰＵ又はＭＰＵが、ＲＯＭ（図示せず）に予め格納されている制御プログラムをＲＡＭ（図示せず）にロードして実行することにより、サーバ装置３としての動作を行なう。
【００３２】
記憶部３１は、ＨＤＤ等の記憶装置であり、サーバ装置３が実行する処理に必要な種々の制御プログラム及び各種データ等を記憶する。また記憶部３１には、ユーザ情報データベース（以下、ユーザ情報ＤＢという）３１ａ（図３参照）及び電子データデータベース（以下、電子データＤＢという）３１ｂが格納されている。更に記憶部３１には、サーバ装置３が提供するクラウドサービスを利用するためにユーザ登録したユーザが、携帯端末２を使用して、携帯端末２を無線通信にて複合機１に接続し、複合機１を介してサーバ装置３にアクセスする際に必要となるアプリケーション（以下、サーバ接続アプリケーションという）を格納している。
ネットワークＩ／Ｆ３２は、複合機１のネットワークＩ／Ｆ１３と同様の構成であり、第１ネットワークＮ１を介して複合機１等の外部装置と通信する。
【００３３】
図３はユーザ情報ＤＢ３１ａの構成を示す模式図である。ユーザ情報ＤＢ３１ａには、サーバ装置３が提供するクラウドサービスにユーザ登録したユーザのユーザＩＤ及び認証用パスワードが互いに関連付けて登録される。サーバ装置３において、ネットワークＩ／Ｆ３２が第１ネットワークＮ１を介してユーザ情報ＤＢ３１ａの登録情報の変更又は追加を受け付けた場合、制御部３０が、ユーザ情報ＤＢ３１ａの登録情報を更新する。
制御部（認証部）３０は、ネットワークＩ／Ｆ３２が第１ネットワークＮ１を介してユーザＩＤ及び認証用パスワードと共にアクセス要求を受信した場合、ユーザ情報ＤＢ３１ａの登録内容に基づいて認証処理を行なう。具体的には、制御部３０は、ネットワークＩ／Ｆ３２が受信したユーザＩＤ及び認証用パスワードをユーザ情報ＤＢ３１ａの登録情報と比較照合し、ユーザ情報ＤＢ３１ａに登録されているか否かを判断する。受信したユーザＩＤ及び認証用パスワードがユーザ情報ＤＢ３１ａに登録されていた場合、制御部（許可部）３０は、アクセス要求してきた外部装置によるアクセスを許可し、サーバ装置３によるサービスの提供が開始される。
【００３４】
電子データＤＢ３１ｂには、ユーザ登録したユーザのユーザＩＤに対応付けて電子データ（電子ファイルデータ）が登録される。サーバ装置３に保存される電子データは、ユーザＩＤと共にサーバ装置３に送信されてくる。従って、サーバ装置３で保存すべき電子データをネットワークＩ／Ｆ３２が受信した場合、制御部３０は、受信した電子データを、電子データと共に受信したユーザＩＤに対応付けて電子データＤＢ３１ｂに格納する。
【００３５】
上述した構成の情報処理システムでは、例えば、予めユーザ登録しているユーザが自宅でパーソナルコンピュータを用いて文書等の電子データを作成する。そして、ユーザは、自宅のパーソナルコンピュータから電子データをサーバ装置３へ送信し、サーバ装置３に登録（保存）しておく。なお、サーバ装置３に電子データを登録する処理は、例えば、サーバ装置３が第１ネットワークＮ１経由で提供するウェブページを介して行なわれる。
またユーザは、サーバ装置３に登録した電子データを複合機１で印刷したい場合、複合機１を操作する代わりに、携帯端末２を操作して、携帯端末２から複合機１に対して、サーバ装置３へのアクセスを要求する。この際、携帯端末２から複合機１へ、サーバ装置３にアクセスするための認証情報（ユーザＩＤ及び認証用パスワード）が近距離無線通信にて送信される。サーバ装置３へのアクセスを要求された複合機１は、携帯端末２から受信した認証情報を第１ネットワークＮ１経由でサーバ装置３へ送信し、サーバ装置３に対してアクセスを要求する。サーバ装置３は、複合機１から受信した認証情報を認証し、認証できた場合、第１ネットワークＮ１を介した複合機１によるアクセスを許可する。
【００３６】
ここで、携帯端末２を使用して、複合機１に対してサーバ装置３へのアクセスを要求するためには、携帯デバイス２に所定のアプリケーション（サーバ接続アプリケーション）をインストールしておく必要がある。従って、携帯端末２のユーザは、サーバ接続アプリケーションを予めサーバ装置３からダウンロードして携帯端末２にインストールしておく。なお、サーバ装置３からサーバ接続アプリケーションをダウンロードする処理は、例えば、サーバ装置３が第１ネットワークＮ１経由で提供するウェブページを介して行なわれる。サーバ接続アプリケーションは、無線通信にて複合機１に対してサーバ装置３へのアクセスを要求するためのプログラムであり、サーバ装置３に対してユーザ登録されたユーザのユーザＩＤ及び認証用パスワードの情報も有している。従って、携帯端末２の制御部２０がサーバ接続アプリケーションを実行した場合、ユーザは携帯端末２を操作して認証情報を入力することなく、無線通信Ｉ／Ｆ２４による無線通信にて認証情報（ユーザＩＤ及び認証用パスワード）が複合機１へ送信され、複合機１に対して、サーバ装置３へのアクセスが要求される。
【００３７】
以下に、ユーザが、携帯端末２を操作して、サーバ装置３に登録してある電子データを複合機１で印刷する場合に各装置が行なう処理について説明する。図４〜図６は情報処理システムによる印刷処理の手順を示すフローチャートである。なお、図４〜図６においては、左側の処理は携帯端末２による処理を、中央の処理は複合機１による処理を、右側の処理はサーバ装置３による処理をそれぞれ示す。
【００３８】
サーバ装置３に登録してある電子データを複合機１で印刷したいユーザは、携帯端末２を操作し、携帯端末２に予めインストールしてあるサーバ接続アプリケーションを起動させる。携帯端末２の制御部２０は、サーバ接続アプリケーションを実行し（Ｓ１１）、アクセスポイント選択画面を操作パネル２２（表示部２２ｂ）に表示させる（Ｓ１２）。なお、携帯端末２の制御部２０は、サーバ接続アプリケーションの起動（実行）を受け付ける構成のほかに、サーバ装置３へのアクセスの実行（アクセス要求）を操作パネル２２の操作部（受付部）２２ａを介して受け付けるように構成されていてもよい。
【００３９】
図７は携帯端末２の表示画面の例を示す模式図であり、図７Ａには、アクセスポイント選択画面の例を示す。図７Ａに示す画面は、携帯端末２がアクセス可能なアクセスポイントを示す情報（例えばアクセスポイントの識別子）を表示し、利用すべきアクセスポイントの選択を受け付ける。ユーザは、アクセスポイント選択画面を介して、複合機１が有するアクセスポイントを選択する。
【００４０】
携帯端末２の制御部２０は、アクセスポイント選択画面を介して、複合機１が有するアクセスポイントが選択されたか否かを判断しており（Ｓ１３）、選択されていない場合（Ｓ１３：ＮＯ）、複合機１が有するアクセスポイントが選択されるまで待機する。なお、複合機１が有するアクセスポイント以外のアクセスポイントが選択された場合、制御部２０は、選択されたアクセスポイントを利用して、無線通信Ｉ／Ｆ２４による無線通信を開始する。複合機１が有するアクセスポイントが選択された場合（Ｓ１３：ＹＥＳ）、制御部２０は、複合機１が有するアクセスポイントを利用する際の接続用パスワードの入力画面を操作パネル２２（表示部２２ｂ）に表示する（Ｓ１４）。図７Ｂには、接続用パスワードの入力画面の例を示す。図７Ｂに示す画面は、複合機１が有するアクセスポイントを利用する際の接続用パスワードを入力するための入力欄を表示する。
【００４１】
一方、複合機１の制御部１０は、図８Ａに示すようなメニュー画面を操作パネル１２（表示部１２ｂ）に表示させている（Ｓ１５）。
図８は複合機１の表示画面の例を示す模式図であり、図８Ａには、複合機１が待機中に表示するメニュー画面の例を示す。図８Ａに示す画面は、複合機１が提供するサービスを示す情報を表示し、ユーザが利用したいサービスの選択を受け付ける。具体的には、図８Ａに示す画面は、「コピー」ボタン、「メモリカード印刷」ボタン、「クラウド印刷」ボタン及び「無線通信」ボタンを表示している。また、図８Ａに示す画面は、各ボタンを介して、複写処理を実行するコピーサービス、メモリカードに保存してあるデータに基づく印刷処理を実行するメモリカード印刷サービス、サーバ装置３等のクラウドサービスを提供するサーバから取得（ダウンロード）したデータに基づく印刷処理を実行するクラウド印刷サービス、無線ＬＡＮ等の近距離無線通信を実行する無線通信サービスの選択を受け付ける。
【００４２】
図７Ｂに示す入力画面が表示された携帯端末２のユーザは、複合機１のメニュー画面中の「無線通信」ボタンを操作し、無線通信サービスの実行を選択する。
複合機１の制御部１０は、メニュー画面を介して無線通信サービスが選択されたか否かを判断しており（Ｓ１６）、無線通信サービスが選択されていない場合（Ｓ１６：ＮＯ）、選択されたサービスに係る処理を実行し（Ｓ１７）、処理を終了する。例えば、コピーサービスが選択された場合、複合機１は、所定の原稿載置台に載置された原稿を画像読取部１５にて読み取り、得られた画像データに基づいて画像形成部１６にて印刷処理を実行する。また、メモリカード印刷サービスが選択された場合、複合機１は、所定のメモリカード接続端子（図示せず）に接続されたメモリカードからデータを取得し、取得したデータに基づいて画像形成部１６にて印刷処理を実行する。また、クラウド印刷サービスが選択された場合、複合機１は、サーバ装置３等のサーバに接続するための画面（図示せず）を表示し、表示した画面を介して入力された情報に基づいてサーバへのアクセス、サーバからのデータのダウンロード等を行ない、得られたデータに基づいて画像形成部１６にて印刷処理を実行する。
【００４３】
無線通信サービスが選択された場合（Ｓ１６：ＹＥＳ）、複合機１の制御部１０は、複合機１と無線通信を行なうための接続用パスワードを操作パネル１２（表示部１２ｂ）に表示する（Ｓ１８）。図８Ｂは、接続用パスワードの表示例を示しており、図８Ｂに示す画面は、表示中の接続用パスワードを、複合機１と無線通信を行ないたい携帯端末２に入力する旨を通知する。なお、ここでの接続用パスワードは、制御部１０のＲＯＭ又は記憶部１１に予め記憶されているものでもよいし、無線通信を要求される都度、制御部１０によって生成されるものでもよい。
図７Ｂに示す入力画面が表示された携帯端末２のユーザは、携帯端末２の操作パネル２２を操作して、複合機１に表示された接続用パスワードを入力画面に入力する。
【００４４】
携帯端末２の制御部２０は、図７Ｂに示す入力画面において、接続用パスワードが入力されたか否かを判断しており（Ｓ１９）、接続用パスワードが入力されていない場合（Ｓ１９：ＮＯ）、入力されるまで待機する。接続用パスワードが入力された場合（Ｓ１９：ＹＥＳ）、制御部２０は、入力された接続用パスワードを無線通信Ｉ／Ｆ２４から複合機１へ送信し、複合機１に対して無線通信の接続を要求する（Ｓ２０）。
無線通信の接続を要求された複合機１の制御部１０は、携帯端末２から無線通信にて取得した接続用パスワードを認証する（Ｓ２１）。具体的には、制御部１０は、携帯端末２から取得した接続用パスワードが、操作パネル１２に表示させた接続用パスワードに一致するか否かを判断し、一致する場合、取得した接続用パスワードが適切であると認証する。
【００４５】
制御部１０は、取得した接続用パスワードを認証できたか否かを判断しており（Ｓ２２）、認証できなかった場合（Ｓ２２：ＮＯ）、認証できなかった旨を、無線通信Ｉ／Ｆ１４を介して携帯端末２に通知する（Ｓ２３）。携帯端末２の制御部２０は、入力された接続用パスワードが適切ではなく、複合機１との接続ができなかった旨を操作パネル２２（表示部２２ｂ）に表示し（Ｓ２４）、処理を終了する。これにより、接続用パスワードの誤入力等によって複合機１との無線通信ができないことをユーザに通知できる。
【００４６】
一方、認証できた場合（Ｓ２２：ＹＥＳ）、複合機１の制御部（許可部）１０は、接続用パスワードを送信してきた携帯端末２との無線通信を許可し、複合機１との接続許可を、無線通信Ｉ／Ｆ１４を介して携帯端末２に通知する（Ｓ２５）。また、複合機１の制御部１０は、図８Ｃに示すように、携帯端末２との無線通信が接続されていることを示すメニュー画面を操作パネル１２（表示部１２ｂ）に表示する（Ｓ２６）。図８Ｃに示すメニュー画面は、図８Ａに示した画面中の「無線通信」ボタンが「無線通信接続済み」ボタンに変更された画面であり、「無線通信接続済み」ボタンは、選択できないように表示されている。
【００４７】
複合機１との接続許可を通知された携帯端末２の制御部２０は、複合機１との接続が許可された旨を操作パネル２２に表示する（Ｓ２７）。例えば、制御部２０は、「複合機１と接続されました」のようなメッセージを表示させる。
そして、サーバ接続アプリケーションを実行中の制御部２０は、サーバ接続アプリケーションに予め組み込まれている認証情報を、無線通信Ｉ／Ｆ２４による無線通信にて複合機１へ送信し、サーバ装置３へのアクセスを複合機１に要求する（Ｓ２８）。具体的には、制御部２０は、認証情報と、サーバ装置３へのアクセス要求を示す情報とを、無線通信Ｉ／Ｆ（送信部）２４を介して複合機１へ送信する。なお、サーバ接続アプリケーションに予め組み込まれている認証情報は、サーバ装置３に対して予めユーザ登録されたユーザのユーザＩＤ及び認証用パスワードであり、サーバ装置３にアクセスするために必要な認証情報である。
【００４８】
サーバ装置３へのアクセスを要求された複合機１の制御部１０は、無線通信Ｉ／Ｆ（取得部）１４を介して、認証情報と、サーバ装置（第１外部装置）３へのアクセス要求を示す情報とを携帯端末（第２外部装置）２から取得する。制御部１０は、取得した認証情報を記憶部１１に記憶させる（Ｓ２９）。また、制御部１０は、記憶部１１に記憶させた認証情報をネットワークＩ／Ｆ１３から、第１ネットワークＮ１を介してサーバ装置３へ送信し、サーバ装置３に対してアクセスを要求する（Ｓ３０）。具体的には、制御部１０は、認証情報と、アクセス要求を示す情報とを、ネットワークＩ／Ｆ（送信部）１３を介してサーバ装置３へ送信する。即ち、本実施形態の複合機１は、サーバ装置３へのアクセス要求を携帯端末２から要求された場合に自動的にサーバ装置３に対してアクセス要求を行なう構成である。このほかに、例えば、複合機１は、無線通信にて携帯端末２から取得した認証情報を記憶部１１に記憶しておき、図８Ｃに示したメニュー画面を介してユーザがクラウド印刷サービスを選択した場合に、サーバ装置３に対してアクセス要求を行なう構成でもよい。
【００４９】
アクセスを要求されたサーバ装置３の制御部３０は、複合機１から取得した認証情報を認証する（Ｓ３１）。具体的には、制御部３０は、複合機１から取得した認証情報が、ユーザ情報ＤＢ３１ａに既に登録されているか否かを判断し、登録されている場合、取得した認証情報が適切であると認証する。制御部３０は、取得した認証情報を認証できたか否かを判断しており（Ｓ３２）、認証できなかった場合（Ｓ３２：ＮＯ）、認証できなかった旨を複合機１に通知する（Ｓ３３）。複合機１の制御部１０は、サーバ装置３へ送信した認証情報が適切ではなく、複合機１を利用できない旨を操作パネル１２（表示部１２ｂ）に表示し（Ｓ３４）、処理を終了する。これにより、サーバ装置３を利用できないことを携帯端末２のユーザに通知できる。
【００５０】
一方、認証できた場合（Ｓ３２：ＹＥＳ）、サーバ装置３の制御部３０は、アクセス要求してきた複合機１との通信を許可する。そして、制御部３０は、複合機１から取得したユーザＩＤ（認証情報）に対応して電子データＤＢ３１ｂに記憶してあるデータ（電子データ）を示すデータ一覧を作成し、ネットワークＩ／Ｆ３２から第１ネットワークＮ１を介して複合機１へ送信する（Ｓ３５）。
複合機１の制御部１０は、ネットワークＩ／Ｆ１３で受信した情報に基づいて、データ一覧を操作パネル１２（表示部１２ｂ）に表示する（Ｓ３６）。図８Ｄには、データ一覧の例を示しており、携帯端末２のユーザが予めサーバ装置３に登録したデータに関する情報の一覧が表示される。図８Ｄに示す画面は、データの情報としてファイル名の一覧を表示しているが、ファイル名と共に各データのサムネイル画像を一覧表示させてもよい。なお、この場合、サーバ装置３の制御部３０は、サムネイル画像を含むデータ一覧の情報を作成して複合機１へ送信する。
【００５１】
図８Ｄに示す画面は、一覧表示したデータから、印刷すべきデータの選択を受け付ける。ユーザは、複合機１の操作パネル１２を操作し、図８Ｄに示す画面から、印刷したいデータを選択して印刷ボタンを操作する。
複合機１の制御部１０は、印刷すべきデータが選択されたか否かを判断しており（Ｓ３７）、選択されていない場合（Ｓ３７：ＮＯ）、選択されるまで待機する。印刷すべきデータが選択された場合（Ｓ３７：ＹＥＳ）、制御部１０は、選択されたデータを、ネットワークＩ／Ｆ１３を介してサーバ装置３に要求する（Ｓ３８）。サーバ装置３の制御部３０は、複合機１から要求されたデータを、電子データＤＢ３１ｂから読み出し、ネットワークＩ／Ｆ３２から複合機１へ送信する（Ｓ３９）。複合機１の制御部１０は、サーバ装置３から受信したデータに基づいて画像形成部１６にて印刷を行ない（Ｓ４０）、印刷処理が終了した場合、上述した処理を終了する。
【００５２】
上述したように、本実施形態では、ユーザが複合機１を操作することなく、携帯端末２を操作することのみによって、サーバ装置３に登録してあるデータを複合機１にダウンロードして印刷することが可能となる。具体的には、ユーザは、携帯端末２に予めインストールしてある所定のアプリケーションを携帯端末２の制御部２０に実行させることによって、サーバ装置３に登録してあるデータを複合機１で印刷できる。これにより、ユーザは、使い慣れていない複合機１を操作することなく、使い慣れた携帯端末２を操作すればよいので、ユーザの操作負担が軽減される。また、携帯端末２にインストールされるアプリケーションに、サーバ装置３にアクセスする際に必要となる認証情報を組み込んでおくことにより、サーバ装置３にアクセスしたいユーザは認証情報を入力する必要がなく、更に操作性がよい。
【００５３】
上述の実施形態では、携帯端末２と利用対象の装置である複合機１との間での事前設定は、複合機１に表示された接続用パスワードを携帯端末２に入力する操作だけなので、複合機１を利用しようと複合機１の近傍にユーザが近付いてからの設定操作時間を大幅に短縮できる。ユーザは、複合機１のような多数で共有している装置の前に長い時間滞在したいとは思わないので、複合機１の前での滞在時間の短縮はユーザの満足度を高めることができる。また、事前設定の操作作業は、ユーザが使い慣れた携帯端末２上で行なうことができるので、操作時間が短縮できる。
【００５４】
上述の実施形態では、携帯端末２が複合機１との間で近距離無線通信を開始する際に、携帯端末２が複合機１に対して接続用パスワードを送信し、複合機１は、受信した接続用パスワードに基づいて認証を行なう。そして、認証された携帯端末２のみが複合機１と無線通信できるので、複合機１及び携帯端末２の間でセキュアな無線通信が可能となる。
【００５５】
上述の実施形態では、複合機１が提供するクラウド印刷サービスは、サーバ装置３に登録してあるデータを複合機１でダウンロードして印刷するサービスであった。更に、複合機１に、印刷対象のデータに複製防止用画像（地紋画像）を付加して印刷する偽造防止印刷機能を備えてもよい。この場合、サーバ装置３からダウンロードしたデータに基づいて複合機１で生成された印刷物に、偽造防止処理を施すことができる。
【００５６】
上述の実施形態では、複合機１が図８Ｄに示す画面を表示し、ユーザは、複合機１の操作パネル１２を操作し、図８Ｄに示す画面を介して、印刷すべきデータを選択する構成である。更に、複合機１は、第１ネットワークＮ１を介したサーバ装置３との通信と、携帯端末２との無線通信とを仲介するブリッジ機能を有してもよい。具体的には、複合機１の制御部（仲介部）１０は、第１ネットワークＮ１経由でサーバ装置３から受信した情報（データ一覧）を、無線通信Ｉ／Ｆ１４による無線通信にて携帯端末２へ転送し、携帯端末２の制御部２０は、受信した情報に基づいて、図８Ｄに示す画面を操作パネル２２に表示してもよい。この場合、ユーザは、携帯端末２の操作パネル２２を操作して、印刷すべきデータを携帯端末２に表示された画面を介して選択し、携帯端末２の制御部２０は、ユーザが選択したデータを示す情報を、無線通信Ｉ／Ｆ２４を介して複合機１へ送信する。そして、複合機１は、無線通信Ｉ／Ｆ１４を介して受信した情報に基づいて、ネットワークＩ／Ｆ１３を介してサーバ装置３にデータを要求する。このような構成とした場合、ユーザは、印刷すべきデータを選択する際にも携帯端末２を操作すればよく、ユーザの操作負担が更に軽減される。
【００５７】
このように、複合機１が、第１ネットワークＮ１を介した通信と、無線ＬＡＮ等の無線通信とを仲介するブリッジ機能を有することにより、ユーザは、使い慣れた携帯端末２を操作することによって、複合機１経由でサーバ装置３が提供するサービスを利用することができる。またその際に、ユーザは、第１ネットワークＮ１を介した通信と無線通信とを意識する必要がなく、シームレスな通信が可能となる。携帯端末２が複合機１経由でサーバ装置３を利用できるので、無線ＬＡＮ等の無線通信で利用されるアクセスポイントが携帯端末２の近くにない場合であっても、複合機１経由でサーバ装置３が提供するクラウドサービスを利用できる。また、携帯端末２は、複合機１と無線接続した状態で、複合機１経由でサーバ装置３を利用できるので、携帯端末２が第２ネットワークＮ２及び第１ネットワークＮ１経由でサーバ装置３にアクセスする必要がない。よって例えば、第２ネットワークＮ２及び第１ネットワークＮ１を使用する場合に必要となる通信料が不要となる。
【００５８】
また、上述したように、携帯端末２を操作することによって、複合機１経由でサーバ装置３の利用が可能となる構成において、複合機１が偽造防止印刷機能を備える場合には更に有効である。例えば、劇場等のチケットやクーポン等の有価証券をサーバ装置３から取得し、複合機１で印刷する場合に、複製防止用画像を付加して印刷することにより、偽造防止処理が施された印刷物を生成できる。
【００５９】
上述の実施形態では、ユーザが自宅のパーソナルコンピュータを用いて作成した電子データを所定のサーバ装置３に登録（保存）する構成について説明した。このほかに、例えば、サーバ装置３を複数備え、携帯端末２の機種毎に異なるサーバ装置３に電子データを登録するようにしてもよい。具体的には、第１ネットワークＮ１に複数のサーバ装置３が接続されており、例えば、１つのサーバ装置３を代表サーバとし、サーバ装置３に電子データを登録する際に代表サーバにアクセスする。そして、代表サーバが、第１ネットワークＮ１経由で提供するウェブページを介して、各ユーザの携帯端末２の機種の情報を取得し、各機種に応じたサーバ装置３に電子データを登録するためのウェブページを提供する。ユーザは、このウェブページを介して、作成した電子データを、自身が所有する携帯端末２の機種に応じたサーバ装置３に登録できる。
【００６０】
またユーザは、自身の携帯端末２の機種に応じたサーバ装置３に登録した電子データを複合機１で印刷したい場合、携帯端末２を操作して、携帯端末２から複合機１に対して、サーバ装置３へのアクセスを要求する。なお、携帯端末２の機種毎に登録先のサーバ装置３を変更する構成においても、ユーザが携帯端末２を操作して、サーバ装置３に登録してある電子データを複合機１で印刷する場合に各装置が行なう処理は、図４〜図６を用いて説明した処理と同様である。なお、この場合、図５のステップＳ２８において、携帯端末２の制御部２０は、サーバ接続アプリケーションに予め組み込まれている認証情報だけでなく、自身の機種の情報も、無線通信Ｉ／Ｆ２４による無線通信にて複合機１へ送信し、サーバ装置３へのアクセスを複合機１に要求する。なお、携帯端末２の機種の情報は、記憶部２１に予め格納されている。
【００６１】
一方、図５のステップＳ２９において、複合機１の制御部１０は、携帯端末２から取得した認証情報を記憶部１１に記憶させると共に、携帯端末２から取得した機種の情報に基づいて、対応するサーバ装置３を特定する。例えば、複合機１の記憶部１１に、各携帯端末２の機種に対応するサーバ装置３のＵＲＬ（Uniform Resource Locator）が登録されたテーブルを格納しておき、制御部１０は、このテーブルを用いてサーバ装置３を特定する。そして、図５のステップＳ３０において、複合機１の制御部１０は、特定したサーバ装置３に対して認証情報を第１ネットワークＮ１を介して送信し、サーバ装置３に対してアクセスを要求する。このような構成とすることにより、サーバ装置３は、携帯端末２の機種毎に最適な仕様（画面サイズ、解像度、カラー／モノクロ対応、色数）の表示画面（データ一覧の画像データ）を提供できる。よって、サーバ装置３から提供されるデータを複合機１を介して携帯端末２が取得して表示する場合に、携帯端末２の機種に最適な画面表示が可能となる。また、携帯端末２の種類に適した操作性の向上が可能となる。
【００６２】
また、上述したように複数のサーバ装置３を備える構成のほかに、１つのサーバ装置３が、携帯端末２の機種毎に電子データの保存及びデータの提供を行なうようにしてもよい。この場合も、図５のステップＳ２８において、携帯端末２の制御部２０は、サーバ接続アプリケーションに予め組み込まれている認証情報だけでなく、自身の機種の情報も複合機１へ送信する。また、このような構成の場合、図５のステップＳ３０において、複合機１の制御部１０は、携帯端末２から取得した認証情報及び携帯端末２の機種の情報を、第１ネットワークＮ１を介してサーバ装置３へ送信する。そして、図６のステップＳ３５において、サーバ装置３の制御部３０は、複合機１から取得したユーザＩＤに対応して電子データＤＢ３１ｂに記憶してあるデータ（電子データ）を示すデータ一覧を作成し、複合機１から取得した機種の情報に応じた表示態様に変更し、複合機１へ送信する。なお、この場合、例えば、サーバ装置３の記憶部３１に、各携帯端末２の機種に対応する表示態様が登録されたテーブルを格納しておく。このような構成とした場合も、携帯端末２の機種毎に最適な表示態様での画面（データ一覧の画像データ）を提供できる。
【００６３】
以上、本発明の好適な実施形態について具体的に説明したが、各構成及び動作等は適宜変更可能であって、上述の実施形態に限定されることはない。
【符号の説明】
【００６４】
１  複合機（情報処理装置）
２  携帯端末（通信装置）
３  サーバ装置（情報記憶装置）
１０  制御部（許可部、仲介部）
１３  ネットワークＩ／Ｆ（送信部）
１４  無線通信Ｉ／Ｆ（取得部）
１６  画像形成部
２１  記憶部
２２  操作パネル
２２ａ  操作部（受付部）
２４  無線通信Ｉ／Ｆ（送信部）
３０  制御部（認証部、許可部）
Ｎ１  第１ネットワーク（通信網）
【図１】
2013190864.tif 000003
【図２】
2013190864.tif 000004
【図３】
2013190864.tif 000005
【図４】
2013190864.tif 000006
【図５】
2013190864.tif 000007
【図６】
2013190864.tif 000008
【図７】
2013190864.tif 000009
【図８】
2013190864.tif 000010